(57)【特許請求の範囲】
【請求項１】
電話端末に対応して設けられ、対応する電話端末の電話帳情報を保持する電話帳情報保持部と、前記電話帳情報保持部に保持されている電話帳情報の内容が更新されたことを検出する検出部と、対応する前記電話端末の電話帳情報との同期処理を行う第１同期処理部と、をそれぞれ含む複数のストレージサーバ装置と、
前記電話端末についての契約内容を確認する確認部と、前記確認部による確認の結果、前記契約内容が所定の条件を満たす場合に、前記複数のストレージサーバ装置について、前記第１同期処理部による同期処理を行うための要求を送信する第１同期要求送信部と、を含む加入者情報管理サーバ装置と、
を備えたことを特徴とする電話帳情報同期システム。
【請求項２】
前記複数のストレージサーバ装置は、他のストレージサーバ装置との間で、前記電話帳情報の対応する項目について内容を一致させるための同期処理を行う第２同期処理部をそれぞれ含み、
前記加入者情報管理サーバ装置は、前記第１同期処理部による同期処理が行われたことを前記検出部が検出した場合において、前記確認部による確認の結果、前記契約内容が所定の条件を満たす場合に、前記第２同期処理部による同期処理を行うための要求を送信する第２同期要求送信部を含むことを特徴とする請求項１に記載の電話帳情報同期システム。
【請求項３】
前記加入者情報管理サーバ装置の前記確認部による確認処理と、
前記ストレージサーバ装置の前記第１同期処理部による同期処理と、
を並行して行うことを特徴とする請求項１または２に記載の電話帳情報同期システム。
【請求項４】
電話端末についての契約内容を確認する確認部と、
前記確認部による確認の結果、前記契約内容が所定の条件を満たす場合に、電話端末に記憶されている電話帳に含まれているデータを記憶するための複数のストレージサーバ装置について、対応する電話端末の電話帳情報との同期処理を行う第１同期処理部による同期処理を行うための要求を送信する第１同期要求送信部と、
前記第１同期処理部による同期処理が行われた場合において、前記確認部による確認の結果、前記契約内容が所定の条件を満たす場合に、前記複数のストレージサーバ装置同士の間で、前記電話帳情報の対応する項目について内容を一致させるための同期処理を行う第２同期処理部による同期処理を行うための要求を送信する第２同期要求送信部と
を含むことを特徴する加入者情報管理サーバ装置。
【請求項５】
電話端末に対応して設けられ、対応する電話端末の電話帳情報を保持する電話帳情報保持部と、前記電話帳情報保持部に保持されている電話帳情報の内容が更新されたことを検出する検出部と、対応する前記電話端末の電話帳情報との同期処理を行う第１同期処理部と、他のストレージサーバ装置との間で、前記電話帳情報の対応する項目について内容を一致させるための同期処理を行う第２同期処理部と、をそれぞれ含む複数のストレージサーバ装置と、
前記電話端末についての契約内容を確認する確認部と、前記確認部による確認の結果、前記契約内容が所定の条件を満たす場合に、前記複数のストレージサーバ装置について、前記第１同期処理部による同期処理を行うための要求を送信する第１同期要求送信部と、前記第１同期処理部による同期処理が行われたことを前記検出部が検出した場合において、前記確認部による確認の結果、前記契約内容が所定の条件を満たす場合に、前記第２同期処理部による同期処理を行うための要求を送信する第２同期要求送信部とを含む加入者情報管理サーバ装置と、
を備えた電話帳情報同期システムにおいて実現される電話帳情報同期方法であって、
前記検出部が、前記電話帳情報保持部に保持されている電話帳情報の内容が更新されたことを検出する第１ステップと、
前記確認部が、前記電話端末についての契約内容を確認する第２ステップと、
前記第２ステップによる確認の結果、前記契約内容が所定の条件を満たす場合に、前記複数のストレージサーバ装置について、前記第１同期処理部による同期処理を行うための要求を前記第１同期要求送信部が送信する第３ステップと、
ストレージサーバ装置に対応する電話端末の電話帳情報との同期処理を前記第１同期処理部が行う第４ステップと、
前記第４ステップによる同期処理が行われたことを前記検出部が検出した場合において、前記確認部による確認の結果、前記契約内容が所定の条件を満たす場合に、前記第２同期処理部による同期処理を行うための要求を前記第２同期要求送信部が送信する第５ステップと、
前記電話端末以外の他の電話端末との間で、前記電話帳情報の対応する項目について内容を一致させるための同期処理を前記第２同期処理部が行う第６ステップと、
を有することを特徴する電話帳情報同期方法。
【発明の詳細な説明】
【技術分野】
【０００１】
本発明は電話帳情報同期システム、加入者情報管理サーバ装置、電話帳情報同期方法に関し、特に電話帳サーバ装置に保持されている電話帳情報を同期させる電話帳情報同期システム、加入者情報管理サーバ装置、電話帳情報同期方法に関する。
【背景技術】
【０００２】
一般に、携帯電話機その他の携帯端末は、電話帳機能を有している。この電話帳機能は、携帯端末内のメモリによって実現されるデータベースである電話帳に、他のユーザの氏名と共に、電話番号、メールアドレス、住所などを登録しておく機能である。そして、データお預かりサービスを利用した場合は、携帯端末に保存されている電話帳の内容を、ネットワークに設けられたサーバ装置に保存しておくことができる。電話帳の内容をサーバ装置に保存しておくことにより、携帯端末を紛失した場合や携帯端末に保存されているデータを誤って削除した際などに、データを復元することができる。
【０００３】
ここで、特許文献１には、電話帳管理サーバで電話帳を管理しておき、携帯電話機が、電話帳管理サーバから最新の電話帳データを取得し、自機に保有する電話帳データとの同期を取るシステムが記載されている。
また、特許文献２では、電話を用いた電子メールの交換サービスによって、宛先に複数の電子メールアドレスを指定し、一度の送信で特定の多数の相手に同じ内容のメッセージを伝達することによって、自分の携帯電話の電話番号の新規の登録や変更の旨を指定した複数の相手の携帯電話に通知し、それらの電話帳情報の書き換えを行っている。
さらに、特許文献３では、ＳＭＳ（Short Message Service）メッセージを利用し、受信したＳＭＳメッセージをディレクトリの形式に変換することによってデータの同期化を実現している。
【先行技術文献】
【特許文献】
【０００４】
【特許文献１】特開２００７−１２３９５９号公報
【特許文献２】特開２００４−１１２１１９号公報
【特許文献３】特開２００７−５１６６２９号公報
【発明の概要】
【発明が解決しようとする課題】
【０００５】
図１４は、スマートフォンの表示画面の表示例を示す図である。図１４においては、人物写真とその人物の氏名とが表示されている。ここで、例えば画面表示されているボタン８１の部分をタッチすれば、ＳＮＳ（Social Network Service）にアクセスし、新メンバーの追加処理を行うことができる。また、例えば画面表示されているボタン８２の部分をタッチすれば、ブログサービスにアクセスし、日記の内容を更新することができる。さらに、例えば画面表示されているボタン８３の部分をタッチすれば、ＳＮＳにアクセスし、プロフィール写真を更新することができる。
【０００６】
図１５は、ＳＮＳなどと連携して電話帳情報を同期する処理を示す図である。図１５において、家族Ａ−１端末２１とＵｓｅｒＡ端末２２とは、同じ家族内のユーザの名義とする。スマートフォンであるＵｓｅｒＡ端末２２については、３Ｇ（３rd Generation）網２００において、無線基地局装置２０ｂ、パケット交換機３０ｂ、外部ＧＷ装置８０を介してインターネット（Ｉｎｔｅｒｎｅｔ）１００に接続することができる。インターネット１００においては、コンテンツプロバイダ（以下、ＣＰと略称）により、ブログサービス、つぶやきサービス、ウェブアルバムサービス、ＳＮＳなどのサービスが提供されている。
【０００７】
ここで、ＳＮＳにおいて、他のユーザがパーソナルコンピュータ（以下、ＰＣと略称）１０やスマートフォン９１によって、自身の連絡先（電話番号／メールアドレス等）を更新した場合を考える。このような場合、スマートフォンであるＵｓｅｒＡ端末２２については、ＳＮＳと連携して電話帳情報の同期が可能である。このため、ＳＮＳにおいて、他のユーザが自身の連絡先を更新すると、更新された内容をＵｓｅｒＡ端末２２に保持することができる。この場合、３Ｇ網２００に設けられているスマートフォン用電話帳サーバ装置７０に、更新内容を含む電話帳情報が保持され、その保持内容をＵｓｅｒＡ端末２２に保持することができる。
【０００８】
一方、家族Ａ−１端末２１については、無線基地局装置２０ａ、パケット交換機３０ａ、外部ＧＷ装置８０を介してインターネット１００に接続しても、ＳＮＳと連携して電話帳情報を同期できない。図１５に記載の「ＮＧ」は電話帳情報を同期できないことを表している。フィーチャーフォン用電話帳サーバ装置６０を３Ｇ網２００に設けても、ＳＮＳと連携して電話帳情報を同期できない。このため、フィーチャーフォンである家族Ａ−１端末２１については、ＳＮＳで繋がっている他のユーザの連絡先の更新を意識し、手動で電話帳情報を更新する必要がある。
【０００９】
フィーチャーフォン用電話帳サーバ装置６０を設けてもフィーチャーフォンである家族Ａ−１端末２１についてＳＮＳと連携して電話帳情報を同期できない理由は、以下のとおりである。すなわち、図１６に示されているように、フィーチャーフォン向けに提供されているデータお預かりサービスは、フィーチャーフォンのネイティブアプリケーションを開発し、ネットワークからの制御ＳＭＳメッセージに対し、電話帳情報をストレージサーバへ通知する（また、ユーザが手入力で電話帳情報をストレージサーバへ通知する）仕組みになっている。ＳＮＳとの同期を取るため、データお預かりサービスと同様の仕組みを外部のＳＮＳ装置に具備する場合、制御ＳＭＳ機能の具備や、フィーチャーフォンのネイティブアプリケーションへの外部からの入力を許容する仕組みの導入が必要となり、コスト面やユーザの秘密情報保持（セキュリティ）の観点から非現実的である。このため、フィーチャーフォンである家族Ａ−１端末２１については、ＳＮＳと連携して電話帳情報を同期できない。
【００１０】
このような問題は、特許文献１〜３に記載の技術では解決することができない。
本発明は上述した背景技術の問題を解決するためになされたものであり、その目的は、自身の連絡先更新時に、特定のユーザに対して、登録されている連絡先を自動で更新することができる電話帳情報同期システム、加入者情報管理サーバ装置、電話帳情報同期方法を提供することである。
【課題を解決するための手段】
【００１１】
本発明の一態様による電話帳情報同期システムは、電話端末に対応して設けられ、対応する電話端末の電話帳情報を保持する電話帳情報保持部と、前記電話帳情報保持部に保持されている電話帳情報の内容が更新されたことを検出する検出部と、対応する前記電話端末の電話帳情報との同期処理を行う第１同期処理部と、をそれぞれ含む複数のストレージサーバ装置と、
前記電話端末についての契約内容を確認する確認部と、前記確認部による確認の結果、前記契約内容が所定の条件を満たす場合に、前記複数のストレージサーバ装置について、前記第１同期処理部による同期処理を行うための要求を送信する第１同期要求送信部と、を含む加入者情報管理サーバ装置と、
を備えたことを特徴とする。このシステムによれば、自身の連絡先更新時に、特定のユーザに対して、その特定ユーザの保持する携帯電話がスマートフォンかフィーチャーフォンかを問わず登録されている連絡先を自動で更新することができる。また、特定のユーザに該当する人を適切に判断し、特定のユーザの携帯電話に登録されている自身の連絡先情報を自動で更新することができる。
【００１２】
また、前記複数のストレージサーバ装置が、他のストレージサーバ装置との間で、前記電話帳情報の対応する項目について内容を一致させるための同期処理を行う第２同期処理部をそれぞれ含み、
前記加入者情報管理サーバ装置が、前記第１同期処理部による同期処理が行われたことを前記検出部が検出した場合において、前記確認部による確認の結果、前記契約内容が所定の条件を満たす場合に、前記第２同期処理部による同期処理を行うための要求を送信する第２同期要求送信部を含んでいてもよい。このシステムによれば、自身の連絡先更新時に、特定のユーザに対して、その特定ユーザの保持する携帯電話がスマートフォンかフィーチャーフォンかを問わず登録されている連絡先を自動で更新することができる。また、特定のユーザに該当する人を適切に判断し、特定のユーザの携帯電話に登録されている自身の連絡先情報を自動で更新することができる。
【００１３】
なお、前記加入者情報管理サーバ装置の前記確認部による確認処理と、前記ストレージサーバ装置の前記第１同期処理部による同期処理と、を並行して行うようにすることが望ましい。これらの処理を並行して行うことにより、ある電話端末の電話帳情報について更新できなかった場合でも連鎖的な自動更新を行うことができる。
【００１４】
本発明の一態様による加入者情報管理サーバ装置は、電話端末についての契約内容を確認する確認部と、前記確認部による確認の結果、前記契約内容が所定の条件を満たす場合に、電話端末に記憶されている電話帳に含まれているデータを記憶するための複数のストレージサーバ装置について、対応する電話端末の電話帳情報との同期処理を行う第１同期処理部による同期処理を行うための要求を送信する第１同期要求送信部と、前記第１同期処理部による同期処理が行われた場合において、前記確認部による確認の結果、前記契約内容が所定の条件を満たす場合に、前記複数のストレージサーバ装置同士の間で、前記電話帳情報の対応する項目について内容を一致させるための同期処理を行う第２同期処理部による同期処理を行うための要求を送信する第２同期要求送信部とを含むことを特徴とする。このような構成の加入者情報管理サーバ装置を用いることにより、自身の連絡先更新時に、特定ユーザに該当するユーザを選別し、必要に応じ電話帳更新を促すことができる。
【００１５】
本発明の一態様による電話帳情報同期方法は、電話端末に対応して設けられ、対応する電話端末の電話帳情報を保持する電話帳情報保持部と、前記電話帳情報保持部に保持されている電話帳情報の内容が更新されたことを検出する検出部と、対応する前記電話端末の電話帳情報との同期処理を行う第１同期処理部と、他のストレージサーバ装置との間で、前記電話帳情報の対応する項目について内容を一致させるための同期処理を行う第２同期処理部と、をそれぞれ含む複数のストレージサーバ装置と、
前記電話端末についての契約内容を確認する確認部と、前記確認部による確認の結果、前記契約内容が所定の条件を満たす場合に、前記複数のストレージサーバ装置について、前記第１同期処理部による同期処理を行うための要求を送信する第１同期要求送信部と、前記第１同期処理部による同期処理が行われたことを前記検出部が検出した場合において、前記確認部による確認の結果、前記契約内容が所定の条件を満たす場合に、前記第２同期処理部による同期処理を行うための要求を送信する第２同期要求送信部とを含む加入者情報管理サーバ装置と、
を備えた電話帳情報同期システムにおいて実現される電話帳情報同期方法であって、
前記検出部が、前記電話帳情報保持部に保持されている電話帳情報の内容が更新されたことを検出する第１ステップ（例えば、図７中のステップＳ１０６）と、
前記確認部が、前記電話端末についての契約内容を確認する第２ステップ（例えば、図７中のステップＳ１１０〜１１５）と、
前記第２ステップによる確認の結果、前記契約内容が所定の条件を満たす場合に、前記複数のストレージサーバ装置について、前記第１同期処理部による同期処理を行うための要求を前記第１同期要求送信部が送信する第３ステップ（例えば、図８中のステップＳ１１８）と、
ストレージサーバ装置に対応する電話端末の電話帳情報との同期処理を前記第１同期処理部が行う第４ステップ（例えば、図８中のステップＳ１２２）と、
前記第４ステップによる同期処理が行われたことを前記検出部が検出した場合において、前記確認部による確認の結果、前記契約内容が所定の条件を満たす場合に、前記第２同期処理部による同期処理を行うための要求を前記第２同期要求送信部が送信する第５ステップ（例えば、図８中のステップＳ１２４）と、
前記電話端末以外の他の電話端末との間で、前記電話帳情報の対応する項目について内容を一致させるための同期処理を前記第２同期処理部が行う第６ステップ（例えば、図８中のステップＳ１３１）と、
を有することを特徴する。
【００１６】
この方法によれば、自身の連絡先更新時に、特定のユーザに対して、その特定ユーザの保持する携帯電話がスマートフォンかフィーチャーフォンかを問わず登録されている連絡先を自動で更新することができる。また、特定のユーザに該当する人を適切に判断し、特定のユーザの携帯電話に登録されている自身の連絡先情報を自動で更新することができる。
【発明の効果】
【００１７】
本発明によれば、自身の連絡先更新時に、特定のユーザに対して、登録されている連絡先を自動で更新することができる。また、特定のユーザに該当する人を適切に判断し、特定のユーザの携帯電話端末に登録されている自身の連絡先情報を自動で更新することができる。
【図面の簡単な説明】
【００１８】
【図１】本発明の実施形態による電話帳情報同期システムの構成例を示す概念図である。
【図２】図１中のストレージサーバ装置の機能構成例を示す図である。
【図３】図１中の加入者情報管理サーバ装置の機能構成例を示す図である。
【図４】本発明の実施形態による電話帳情報同期システムによる同期処理の概要を示すフローチャートである。
【図５】電話帳情報同期システムによる同期処理の連鎖を説明する図である。
【図６】電話帳情報同期システムによる動作例を示すシーケンス図である。
【図７】電話帳情報同期システムによる動作例の続きを示すシーケンス図である。
【図８】電話帳情報同期システムによる動作例の続きを示すシーケンス図である。
【図９】電話帳情報同期システムによる動作例の続きを示すシーケンス図である。
【図１０】電話帳情報の更新の例を示す図である。
【図１１】契約者情報の例を示す図である。
【図１２】電話帳情報同期システムにおいて送受信されるパケットの例を示す図である。
【図１３】契約者情報の他の例を示す図である。
【図１４】スマートフォンの表示画面の表示例を示す図である。
【図１５】ＳＮＳなどと連携して電話帳情報を同期する処理を示す図である。
【図１６】フィーチャーフォン向けに提供されているデータお預かりサービスの課題を説明するための図である。
【発明を実施するための形態】
【００１９】
以下、本発明の実施の形態を、図面を参照して説明する。なお、以下の説明において参照する各図では、他の図と同等部分は同一符号によって示されている。
（用語の定義）
本明細書において、「同期」とは、２つの装置にそれぞれ保持されているデータの内容を同一にすることを指す。例えば、あるストレージサーバ装置に保持されている電話帳情報の項目の内容と、別のストレージサーバ装置に保持されている電話帳情報の項目の内容とを、同一にすることを指す。
【００２０】
また、本明細書において、「フィーチャーフォン」とは、携帯電話の端末のうち、通話機能を主体とし、その他にカメラやワンセグをはじめとする特徴的な機能を作りこまれた端末である。また、ｉアプリ（登録商標）と呼ばれるような、Ｊａｖａ（登録商標）で書かれたアプリケーションを第三者によりカスタマイズすることは可能であるがｉアプリ（登録商標）と本体内のネイティブアプリを連携させるカスタマイズは第三者が自由に行うことはできない。
【００２１】
さらに、本明細書において、「家族割引」、「特定電話番号割引」とはサービス契約者とその他の携帯電話の番号とを括りつけているキャリア独自サービスである。サービス契約者とその他の携帯電話番号とを括りつけ提供するサービスがこの他にも携帯電話番号を括りつけて提供するサービスが存在した場合、ストレージサーバと連携することで下記と同様に、連絡先の自動更新が実現できる。
【００２２】
なお、本明細書において、「ＳＮＳ」とは、ユーザが自由にアカウントを取得し、電話番号、メールアドレス等の情報を登録することができるネットワークサービスである。特定のユーザ間でグループになることもできる。スマートフォンに該当ＳＮＳのアプリケーションをインストールし、取得したアカウントを入力することでスマートフォン内の電話帳とＳＮＳとの間で、電話番号やメールアドレスの同期を取ることができる。
【００２３】
（発明の概要）
ＳＮＳを使用した連絡先の自動更新はフィーチャーフォンでは不可能であることから、本発明では、ＳＮＳとの連携に依存せず、自身の連絡先を更新した際に、特定のユーザに対して、その特定ユーザの保持する携帯電話がスマートフォンかフィーチャーフォンかを問わず登録されている連絡先を自動で更新するシステムを提案する。
【００２４】
本システムでは、複数ユーザ間のデータお預かりサービス用のストレージサーバ同士を連携させ電話帳情報を同期することによって実現する。連絡先を自動更新する対象となる特定ユーザは、家族割引、特定電話番号割引の契約情報に基づき判断する。またその判断は、連鎖的であり、ユーザの所属する家族割引、特定電話番号割引のグループから派生し、グループ内の別ユーザの所属する家族割引、特定電話番号割引と連鎖的に電話帳情報を更新する対象を拡げていく。更新の連鎖は、連絡先を変更したユーザの情報が該当のストレージサーバに存在しないユーザに到達した時点で終了する。
【００２５】
（電話帳情報同期システム）
図１は、本発明の実施形態による電話帳情報同期システムの構成例を示す概念図である。図１を参照すると、本例の電話帳情報同期システムは、ユーザ（Ｕｓｅｒ）Ａが所有している端末（以下、ＵｓｅｒＡ端末と呼ぶ）２２、ユーザＡの家族が所有している端末（以下、家族Ａ−１端末と呼ぶ）２１、ユーザ（Ｕｓｅｒ）Ｄが所有している端末（以下、ＵｓｅｒＤ端末と呼ぶ）２３と、図示せぬ無線サービスエリアを実現するための無線基地局装置２０と、各端末２１〜２３と他の装置との間で送受信されるパケットについて交換処理を行うパケット交換機３０とを備えている。
【００２６】
また、本例の電話帳情報同期システムは、パケット網において他の装置とのゲートウェイとして機能するパケット交換ＧＷ（Ｇａｔｅ  Ｗａｙ）装置４０と、ユーザすなわち加入者についての契約内容その他のプロファイルを保持しているデータベースである加入者情報管理サーバ装置５０と、ＵｓｅｒＡ端末に記憶されている電話帳に含まれているデータを記憶するためのＵｓｅｒＡ用ストレージサーバ装置６０ａ、家族Ａ−１端末に記憶されている電話帳に含まれているデータを記憶するための家族Ａ−１用ストレージサーバ装置７０ａ、ＵｓｅｒｄＤ端末に記憶されている電話帳に含まれているデータを記憶するためのＵｓｅｒＤ用ストレージサーバ装置６０ｂとを備えている。
【００２７】
さらに、本例の電話帳情報同期システムは、インターネット１００に接続されている装置とのゲートウェイとして機能する外部ＧＷ（Ｇａｔｅ  Ｗａｙ）装置８０を備えている。インターネット１００には、ＳＮＳなどのサービスを提供するＣＰ９０が接続されている。このＣＰ９０によって提供されるサービスについては、ＰＣ１０によって利用することができる。
ＵｓｅｒＡ用ストレージサーバ装置６０ａ、家族Ａ−１用ストレージサーバ装置７０ａ、ＵｓｅｒＤ用ストレージサーバ装置６０ｂは、対応する端末の電話帳情報を保持する電話帳情報保持部（図示せず）を有している。
【００２８】
（ストレージサーバ装置の機能構成例）
図２は、図１中のＵｓｅｒＡ用ストレージサーバ装置６０ａの機能構成例を示す図である。図１中の他のストレージサーバ装置である、家族Ａ−１用ストレージサーバ装置７０ａ、ＵｓｅｒＤ用ストレージサーバ装置６０ｂや図示せぬストレージサーバ装置についても、ＵｓｅｒＡ用ストレージサーバ装置６０ａと同様の構成を有しているものとする。
【００２９】
図２において、ＵｓｅｒＡ用ストレージサーバ装置６０ａは、電話端末に対応して設けられ、対応する電話端末の電話帳情報を保持する電話帳情報保持部６１と、電話帳情報保持部６１に保持されている電話帳情報の内容が更新されたことを検出する検出部６２と、対応する電話端末の電話帳情報との同期処理を行う第１同期処理部６３と、第１同期処理部６３による同期処理が行われたことを検出部６２が検出した場合において、後述する加入者情報管理サーバ装置の確認部による確認の結果、契約内容が所定の条件を満たす場合に、他のストレージサーバ装置との間で、電話帳情報の対応する項目について内容を一致させるための同期処理を行う第２同期処理部６４とを備えている。複数のストレージサーバ装置それぞれについて、このような構成を採用すれば、連絡先更新時に、特定のユーザに対して、その特定ユーザの保持する携帯電話がスマートフォンかフィーチャーフォンかを問わず登録されている連絡先を自動で更新することができる。
なお、上記の各部については、ストレージサーバ装置内の図示せぬＣＰＵがプログラムを実行することによって、実現することができる。
【００３０】
（加入者情報管理サーバ装置の機能構成例）
図３は、図１中の加入者情報管理サーバ装置５０の機能構成例を示す図である。図３において、加入者情報管理サーバ装置５０は、電話端末についての契約内容を確認する確認部５１と、確認部５１による確認の結果、契約内容が所定の条件を満たす場合に、複数のストレージサーバ装置について、対応する電話端末の電話帳情報との同期処理を行う第１同期処理部による同期処理を行うための要求を送信する第１同期要求送信部５２と、第１同期処理部６３による同期処理が行われた場合において、確認部５１による確認の結果、契約内容が所定の条件を満たす場合に、複数のストレージサーバ装置同士の間で、電話帳情報の対応する項目について内容を一致させるための同期処理を行う第２同期処理部による同期処理を行うための要求を送信する第２同期要求送信部５３とを備えている。このような構成の加入者情報管理サーバ装置を用いることにより、連絡先更新時に、特定ユーザに該当するユーザを選別し、必要に応じ電話帳更新を促すことができる。
なお、上記の各部については、加入者情報管理サーバ装置５０内の図示せぬＣＰＵがプログラムを実行することによって、実現することができる。
【００３１】
（同期処理の概要）
図４は、本例の電話帳情報同期システムによる同期処理の概要を示すフローチャートである。図４において、ＵｓｅｒＡ端末２２に保持されている電話帳情報が更新されると、ＵｓｅｒＡ用ストレージサーバ装置の保持情報が更新される（ステップＳ１１）。すると、ＨＳＳ（Home Subscriber Server）またはＨＬＲ（Home Location Register）から、ユーザＡの契約情報が取得される（ステップＳ１２）。この取得した契約情報に、ユーザＡの割引契約に紐付く電話番号であるＭＳＩＳＤＮ（Mobile Subscriber ISDN number）情報が存在するか判定する（ステップＳ１３）。この判定の結果、契約情報に、ユーザＡの割引契約に紐付くＭＳＩＳＤＮ情報が存在しない場合、処理は終了となる（ステップＳ２３）。
【００３２】
ステップＳ１３の判定の結果、ユーザＡの割引契約に紐付くＭＳＩＳＤＮ情報が存在する場合、家族Ａ−１用ストレージサーバ装置、家族Ａ−２用ストレージサーバ装置、ＵｓｅｒＢ用ストレージサーバ装置、ＵｓｅｒＤ用ストレージサーバ装置に、ユーザＡの旧情報（つまり更新前の情報）が存在するか判定される（ステップＳ１３→Ｓ１４）。この判定の結果、ユーザＡの旧情報が存在しない場合、処理は終了となる（ステップＳ１４→Ｓ２３）。
【００３３】
ステップＳ１４の判定の結果、ユーザＡの旧情報が存在する場合、ストレージサーバ装置間で情報を同期する（ステップＳ１４→Ｓ１５）。すなわち、ＵｓｅｒＡ用ストレージサーバ装置と、家族Ａ−１用ストレージサーバ装置、家族Ａ−２用ストレージサーバ装置、ＵｓｅｒＢ用ストレージサーバ装置、ＵｓｅｒＤ用ストレージサーバ装置との間で、保持されている情報の同期処理が行われる。
その後、ユーザＡの旧情報を更新する。すなわち、ユーザＡの旧情報が各ストレージサーバ装置に保持されており、その保持されている各ストレージサーバ装置に対応する各ユーザの端末の電話帳情報が更新される（ステップＳ１６）。
【００３４】
さらに、電話帳情報が更新された端末のユーザの契約情報が、ＨＳＳまたはＨＬＲから取得される（ステップＳ１７）。そして、この取得した契約情報に、ステップＳ１６において電話帳情報が更新された端末に対応するユーザの割引契約に紐付くＭＳＩＳＤＮ情報が存在するか判定する（ステップＳ１８）。この判定の結果、割引契約に紐付くＭＳＩＳＤＮ情報が存在しない場合、処理は終了となる（ステップＳ１８→Ｓ２３）。
【００３５】
ステップＳ１８の判定の結果、割引契約に紐付くＭＳＩＳＤＮ情報が存在する場合、ＵｓｅｒＣ用ストレージサーバ装置に、ユーザＡの旧情報（つまり更新前の情報）が存在するか判定される（ステップＳ１８→Ｓ１９）。この判定の結果、ユーザＡの旧情報が存在しない場合、処理は終了となる（ステップＳ１９→Ｓ２３）。
ステップＳ１９の判定の結果、ユーザＡの旧情報が存在する場合、ストレージサーバ装置間で情報を同期する（ステップＳ１９→Ｓ２０）。すなわち、ステップＳ１６において端末の電話帳情報が更新されたストレージサーバ装置と他のストレージサーバ装置（例えば、ＵｓｅｒＣ用ストレージサーバ装置）との間で、保持されている情報の同期処理が行われる。
【００３６】
その後、ユーザＡの情報を更新したストレージサーバ装置が存在するか判定される（ステップＳ２１）。この判定の結果、ユーザＡの情報を更新したストレージサーバ装置が存在しない場合、処理は終了となる（ステップＳ２１→Ｓ２３）。
ステップＳ２１の判定の結果、ユーザＡの情報を更新したストレージサーバ装置が存在する場合、ユーザＡの情報を更新したストレージサーバ装置についてステップＳ１７以降の処理が繰返し実施される（ステップＳ２１→Ｓ２２）。
このように、更新処理を連鎖的に行うことにより、電話帳情報について自動更新を実現することができる。
【００３７】
（同期処理の連鎖）
図５は、電話帳情報同期システムによる同期処理の連鎖を説明する図である。図５は、ユーザＡの契約に紐付き特定の条件を満たしたユーザＤ用のストレージサーバ装置で保持する電話帳情報を更新した際に連鎖して、ユーザＤの契約に紐付きユーザＡの契約に紐付き実施した処理と同様の処理が連鎖的に行われる場合の例を示している。
【００３８】
本例において、ユーザＡの回線契約情報には、「家族割引契約」および「特定電話番号割引」が含まれている。そして、「家族割引契約」の対象は、本例では、ユーザＡの家族である「家族Ａ−１」および「家族Ａ−２」である。また、「特定電話番号割引」の対象は、本例では、ユーザＡが設定した「ＵｓｅｒＢ」および「ＵｓｅｒＤ」である。
このユーザＡの契約に紐付いた家族割引契約、特定電話番号割引契約の登録番号ユーザの携帯電話の電話帳情報を、上述したようにストレージサーバ装置との同期処理を行うことで更新する（ステップＳ１）。
【００３９】
次に、ユーザＡの契約に基づき携帯電話の電話帳を更新されたユーザ（ここではユーザＤ）の契約に紐付いた家族割引契約、特定電話番号割引契約の登録番号ユーザの携帯電話の電話帳情報をストレージサーバ装置との同期処理を行うことで更新する（ステップＳ２）。本例では、ユーザＤの回線契約情報には、「家族割引契約」および「特定電話番号割引」が含まれている。そして、「家族割引契約」の対象は、本例では、ユーザＤの家族である「家族Ｄ−１」および「家族Ｄ−２」である。また、「特定電話番号割引」の対象は、本例では、ユーザＤが設定した「ＵｓｅｒＣ」および「ＵｓｅｒＥ」である。このユーザＤの契約に紐付いた家族割引契約、特定電話番号割引契約の登録番号ユーザの携帯電話の電話帳情報を、上述したようにストレージサーバ装置との同期処理を行うことで更新する。一方、「ＵｓｅｒＢ」のように契約に紐付くその他のユーザの電話番号情報が存在しない場合、処理は終了となる。
以降は、ステップＳ２の処理が繰返し実行される。ただし、特定のグループの全てのユーザのストレージサーバにユーザＡの旧連絡先情報がないことが確認できた場合、処理は終了となる（ステップＳ３）。
【００４０】
（電話帳情報同期システムによる動作例）
以下の説明において参照する図６から図９において、二重線矢印はユーザプレーン（Ｕ−Ｐｌａｎｅ）による伝送路を示しており、それ以外の矢印はコントロールプレーン（Ｃ−Ｐｌａｎｅ）による伝送路を示している。
図６から図９は、ＵｓｅｒＡ端末２２、家族Ａ−１端末２１、ＵｓｅｒＤ端末２３、ＵｓｅｒＡ端末に記憶されている電話帳に含まれているデータを記憶するためのＵｓｅｒＡ用ストレージサーバ装置６０ａ、家族Ａ−１端末に記憶されている電話帳に含まれているデータを記憶するための家族Ａ−１用ストレージサーバ装置７０ａ、ＵｓｅｒｄＤ端末に記憶されている電話帳に含まれているデータを記憶するためのＵｓｅｒＤ用ストレージサーバ装置６０ｂ、パケット交換機３０、パケット交換ＧＷ装置４０、加入者情報管理サーバ装置５０、及び、外部ＧＷ装置８０におけるデータの授受を示すシーケンス図である。なお、本例において、ＵｓｅｒＡ端末２２およびＵｓｅｒＤ端末２３はスマートフォンであり、家族Ａ−１端末２１はフィーチャーフォンである。
【００４１】
図６において、ユーザＡは、ＰＣ１０からインターネットに接続し、ＣＰ９０にアクセスする（ステップＳＳ１０１）。このアクセスは、ＨＴＴＰ(Hypertext Transfer Protocol)通信によって行われる。なお、ＰＣ１０の代わりに、タブレット端末や別のスマートフォンを操作してインターネットに接続した場合であってもよい。
【００４２】
ここで、ユーザＡがＰＣ１０を操作してＣＰ９０によるＳＮＳなどへアクセスした結果、ユーザＡの友人がＳＮＳ内のアカウント情報を更新したことを認識した場合を考える。例えば、図１０のように、電話帳情報が同図中の矢印のように更新された場合を考える。すなわち、図１０において、ＳＮＳ「Ｆｕｓｅｂｏｏｋ」に登録されている電話帳情報のうち、名前「○○  ＸＸ」の電話番号（ＴＥＬ）が「０Ｘ０−ＸＸＸＸ−０００２」から「０Ｘ０−ＸＸＸＸ−１２３４」に変更され、かつ、メールアドレス（Ｍａｉｌ）が「●●hatmeil.com」から「●●gmeil.com」に変更された場合を考える。
【００４３】
図６に戻り、このような場合、ユーザＡがＰＣ１０からＳＮＳへアクセスした時に、スマートフォンであるＵｓｅｒＡ端末２２に保持されている電話帳への同期が開始される（ステップＳＳ１０２）。具体的には、まず、ＵｓｅｒＡ端末２２はインターネットのＣＰ９０へ、接続要求を送信する（ステップＳＳ１０３ａ、ＳＳ１０３ｂ、ＳＳ１０３ｃ）。この接続要求に対し、ＣＰ９０から接続要求応答が返信されると（ステップＳＳ１０４ａ、ＳＳ１０４ｂ、ＳＳ１０４ｃ）、ＨＴＴＰ通信が開始される（ステップＳＳ１０５）。このＨＴＴＰ通信によって、ＳＮＳに登録されている情報とＵｓｅｒＡ端末２２に保持されている情報との同期が行われる。まず、ＣＰ９０が、ＵｓｅｒＡ端末２２からの接続を認識すると（ステップＳＳ１０６）、ＣＰ９０はＵｓｅｒＡ端末２２へ、ＨＴＴＰ通信によって更新内容を通知する（ステップＳＳ１０７）。この通知を受信したＵｓｅｒＡ端末２２は、電話帳情報の更新を行う（ステップＳＳ１０８）。以上の処理により、更新後の電話帳情報がＵｓｅｒＡ端末２２に保持される。
【００４４】
図７に移行し、ユーザＡがデータお預かりサービスを利用している場合、ＵｓｅｒＡ端末２２に保持されている電話帳情報については、電話帳サーバ装置であるＵｓｅｒＡ用ストレージサーバ装置６０ａに、定期的にバックアップされる。この電話帳情報のバックアップ周期が到来したことをトリガとして、バックアップのために以下の処理が開始される。
【００４５】
すなわち、ＵｓｅｒＡ端末２２に保持されている電話帳情報が更新された場合（ステップＳ１０１）、更新された内容をＵｓｅｒＡ用ストレージサーバ装置６０ａに保持するため、ＵｓｅｒＡ端末２２から、電話帳サーバ装置である電話帳ＵｓｅｒＡ用ストレージサーバ装置６０ａへの接続が行われる。この場合、ＵｓｅｒＡ端末２２は、電話帳ＵｓｅｒＡ用ストレージサーバ装置６０ａへ、パケット接続要求を送信する（ステップＳ１０２ａ）。このパケット接続要求は、パケット交換機３０、パケット交換ＧＷ装置４０を経由し、ＵｓｅｒＡ用ストレージサーバ装置６０ａによって受信される（ステップＳ１０２ｂ、Ｓ１０２ｃ）。
【００４６】
ＵｓｅｒＡ用ストレージサーバ装置６０ａがパケット接続応答を返信すると（ステップＳ１０３ａ、ステップＳ１０３ｂ、Ｓ１０３ｃ）、ＵｓｅｒＡ端末２２とＵｓｅｒＡ用ストレージサーバ装置６０ａとの間で電話帳データの同期処理が行われる（ステップＳ１０４）。この電話帳データの同期処理は、ＨＴＴＰ通信によって行われ、ＵｓｅｒＡ用ストレージサーバ装置６０ａが保持している電話帳のデータが更新される（ステップＳ１０５）。
【００４７】
ＵｓｅｒＡ用ストレージサーバ装置６０ａが保持している電話帳のデータが更新されると、ＵｓｅｒＡ用ストレージサーバ装置６０ａは更新の前後で保持内容に差分があるか判定する（ステップＳ１０６）。この判定の結果、保持内容に差分がなければ、処理は終了となる（ステップＳ１０７→Ｓ１０８）。また、ステップＳ１０６の判定の結果、保持内容に差分がある場合、ＵｓｅｒＡ用ストレージサーバ装置６０ａは、ストレージサーバ装置間での同期の要否を確認する要求を加入者情報管理サーバ装置５０へ送信する（ステップＳ１０７→Ｓ１０９）。
【００４８】
この要求を受信した加入者情報管理サーバ装置５０は、ユーザＡについての回線契約情報を確認する（ステップＳ１１０）。本例では、ユーザＡについての回線契約情報には、図１１のように、「家族割引契約」および「特定電話番号割引」が含まれている。そして、「家族割引契約」の対象は、本例では、ユーザＡの家族である「家族Ａ−１」および「家族Ａ−２」である。また、「特定電話番号割引」の対象は、本例では、ユーザＡが設定した「ＵｓｅｒＢ」および「ＵｓｅｒＤ」である。
【００４９】
ここで、加入者情報管理サーバ装置５０は、契約者（すなわちユーザＡ）自身の連絡先の更新が行われたか判定し（ステップＳ１１１）、契約者（すなわちユーザＡ）自身の連絡先の更新が行われていなければ、同期が不要である旨が返信され、処理は終了となる（ステップＳ１１１→Ｓ１１２→Ｓ１０８）。
また、ステップＳ１１１の判定の結果、契約者（すなわちユーザＡ）自身の連絡先の更新が行われていれば、加入者情報管理サーバ装置５０は、契約者（すなわちユーザＡ）について、家族割引や特定電話番号割引などの割引契約が存在するか判定する（ステップＳ１１１→Ｓ１１３）。この判定の結果、割引契約が存在しない場合、同期が不要である旨が返信され、処理は終了となる（ステップＳ１１３→Ｓ１１４→Ｓ１０８）。
【００５０】
また、ステップＳ１１３の判定の結果、割引契約が存在する場合、加入者情報管理サーバ装置５０は、割引対象ユーザがデータお預かりサービス契約に加入済みか判定する（ステップＳ１１３→Ｓ１１５）。この判定の結果、割引対象ユーザがデータお預かりサービス契約に加入していない場合、同期が不要である旨が返信され、処理は終了となる（ステップＳ１１５→Ｓ１１６→Ｓ１０８）。
ステップＳ１１５の判定の結果、割引対象ユーザがデータお預かりサービス契約に加入している場合、加入者情報管理サーバ装置５０は、ストレージサーバ装置同士の同期を実施するためのストレージ同期フラグを付与する（ステップＳ１１５→Ｓ１１７）。
【００５１】
図８に移行し、加入者情報管理サーバ装置５０は、ストレージ同期フラグを付与したストレージサーバ間同期要求を、ＵｓｅｒＡ用ストレージサーバ装置６０ａへ送信する（ステップＳ１１８）。このストレージサーバ間同期要求は、例えば、図１２のように、ペイロードに、ストレージ同期フラグが付加されたパケットである。このストレージ同期フラグは、同期が必要なストレージサーバ装置に対応する電話番号を示している。例えば、ＵｓｅｒＤ用ストレージサーバ装置７０ａとの同期が必要な場合、ストレージサーバ間同期要求には、ＵｓｅｒＤの電話番号を示す情報がストレージ同期フラグとして付与される。なお、加入者情報管理サーバ装置５０は、同期を実施する必要があるストレージサーバ装置が複数存在する場合、各ストレージサーバ装置に対応する電話番号を示す情報をストレージ同期フラグとしてストレージサーバ間同期要求に付与する。
【００５２】
ＵｓｅｒＤの電話番号を示す情報がストレージ同期フラグとして付与されたストレージサーバ間同期要求を受信したＵｓｅｒＡ用ストレージサーバ装置６０ａは、ＵｓｅｒＤ用ストレージサーバ装置６０ｂとの間で接続要求および接続応答を授受し（ステップＳ１１９）、ＵｓｅｒＡ用ストレージサーバ装置６０ａとＵｓｅｒＤ用ストレージサーバ装置６０ｂとの間で該当（特定）ユーザ情報確認要求が授受される（ステップＳ１２０）。
【００５３】
ＵｓｅｒＤ用ストレージサーバ装置６０ｂが保持している電話帳のデータが更新されると、ＵｓｅｒＤ用ストレージサーバ装置６０ｂは更新の前後で保持内容に差分があるか判定する（ステップＳ１２１）。この判定の結果、保持内容に差分がなければ、処理は終了となる（ステップＳ１２１ａ→Ｓ１３３）。
【００５４】
また、この判定の結果、保持内容に差分がある場合、ＵｓｅｒＡ用ストレージサーバ装置６０ａとＵｓｅｒＤ用ストレージサーバ装置６０ｂとの間で電話帳データの同期処理が行われる（ステップＳ１２１ａ→Ｓ１２２）。この電話帳データの同期処理は、ＨＴＴＰ通信によって行われる。さらに、ＵｓｅｒＤ用ストレージサーバ装置６０ｂは、以下の処理を行う。すなわち、ＵｓｅｒＤ用ストレージサーバ装置６０ｂは、ＵｓｅｒＤ端末に保持されている電話帳のデータについて更新が必要であることを認識する（ステップＳ１２３）。すると、ＵｓｅｒＤ用ストレージサーバ装置６０ｂは、電話帳更新要求を送信する（ステップＳ１２４）。
【００５５】
この電話帳更新要求を受信したパケット交換ＧＷ装置４０は、加入者情報管理サーバ装置５０は、着信者情報呼出要求を送信する（ステップＳ１２５）。この着信者情報呼出要求を受信した加入者情報管理サーバ装置５０は、ＵｓｅｒＤ端末２３の電話番号について在圏情報を呼出し（ステップＳ１２６）、着信者情報呼出要求応答としてパケット交換ＧＷ装置４０へ返信する（ステップＳ１２７）。この着信者情報呼出要求応答を受信したパケット交換ＧＷ装置４０は、ＵｓｅｒＤ端末２３へ、電話帳更新要求を送信する（ステップＳ１２８ａ、Ｓ１２８ｂ）。
【００５６】
ＵｓｅｒＤ端末２３は、電話帳更新要求を受信すると、電話帳サーバ装置であるＵｓｅｒＤ用ストレージサーバ装置６０ｂへ、パケット接続要求を送信する（ステップＳ１２９ａ、Ｓ１２９ｂ、Ｓ１２９ｃ）。このパケット接続要求を受信したＵｓｅｒＤ用ストレージサーバ装置６０ｂは、パケット接続要求応答を送信する（ステップＳ１３０ａ、Ｓ１３０ｂ、Ｓ１３０ｃ）。
【００５７】
このパケット接続要求応答を受信したＵｓｅｒＤ端末２３は、ＵｓｅｒＤ用ストレージサーバ装置６０ｂとの間でＨＴＴＰ通信を開始する（ステップＳ１３１）。これにより、ＵｓｅｒＤ用ストレージサーバ装置６０ｂに保持されている電話帳情報とＵｓｅｒＤ端末２３に保持されている電話帳情報とについて同期処理が行われ、ＵｓｅｒＤ端末２３に保持されている電話帳情報が更新される（ステップＳ１３２）。
【００５８】
図９に移行し、次に、ＵｓｅｒＤ用ストレージサーバ装置６０ｂは、ストレージサーバ装置間での同期の要否を確認する要求を加入者情報管理サーバ装置５０へ送信する（ステップＳ１３４）。この要求を受信した加入者情報管理サーバ装置５０は、ユーザＤについての回線契約情報を確認する（ステップＳ１３５）。本例では、ユーザＤについての回線契約情報は、図１３のように、「家族割引契約」および「特定電話番号割引」が設定されている。そして、「家族割引契約」の対象は、本例では、ユーザＤの家族である「家族Ｄ−１」および「家族Ｄ−２」である。また、「特定電話番号割引」の対象は、本例では、ユーザＤが設定した「ＵｓｅｒＣ」および「ＵｓｅｒＥ」である。
【００５９】
上記ステップＳ１１１において行われた、契約者自身の連絡先の更新が行われたかの判定は、ここでは行わず、加入者情報管理サーバ装置５０は、契約者（すなわちユーザＤ）について、家族割引や特定電話番号割引などの割引契約が存在するか判定する（ステップＳ１３５→Ｓ１３６）。この判定の結果、割引契約が存在しない場合、同期が不要である旨が返信され、処理は終了となる（ステップＳ１３６→Ｓ１３７→Ｓ１３８）。
【００６０】
また、ステップＳ１３６の判定の結果、割引契約が存在する場合、加入者情報管理サーバ装置５０は、割引対象ユーザがデータお預かりサービス契約に加入済みか判定する（ステップＳ１３６→Ｓ１３９）。この判定の結果、割引対象ユーザがデータお預かりサービス契約に加入していない場合、同期が不要である旨が返信され、処理は終了となる（ステップＳ１３９→Ｓ１４０→Ｓ１３８）。
ステップＳ１３９の判定の結果、割引対象ユーザがデータお預かりサービス契約に加入している場合、加入者情報管理サーバ装置５０は、ストレージサーバ装置同士の同期を実施するためのストレージ同期フラグを付与する（ステップＳ１３９→Ｓ１４１）。
【００６１】
加入者情報管理サーバ装置５０は、ストレージ同期フラグを付与したストレージサーバ間同期要求を、ＵｓｅｒＤ用ストレージサーバ装置６０ｂへ送信する（ステップＳ１４２）。このストレージ同期フラグは、同期が必要なストレージサーバ装置に対応する電話番号を示している。例えば、ＵｓｅｒＣ用ストレージサーバ装置との同期が必要な場合、ストレージサーバ間同期要求には、ＵｓｅｒＣの電話番号を示す情報がストレージ同期フラグとして付与される。同様に、ＵｓｅｒＥ用ストレージサーバ装置との同期が必要な場合、ストレージサーバ間同期要求には、ＵｓｅｒＥの電話番号を示す情報がストレージ同期フラグとして付与される。以下、同様の処理が繰返され、連鎖的な自動更新が行われる。そして、更新すべき情報をすべて更新し終えると、処理は終了となる（ステップＳ１４３）。
【００６２】
なお、図８を参照して説明したＵｓｅｒＤの携帯電話の電話帳への更新処理ＳＳと図９を参照して説明したＵｓｅｒＤ用ストレージサーバからの連鎖更新処理とを並行して（すなわち同時期に）実施することが望ましい。これらを並行して実施することにより、ＵｓｅｒＤがリアルタイムに更新ができなかった場合でも連鎖的に自動更新ができるようなる。
【００６３】
以上のように処理が行われることにより、ＳＮＳによるスマートフォンの電話帳情報の自動更新を、フィーチャーフォンについても行うことができる。
ここで、フィーチャーフォンのネットワークにおいては、着信があった場合にＳＭＳによるメッセージを送信するＰｕｓｈ型のメールシステムを採用している。そして、ＳＭＳによるメッセージを受信したフィーチャーフォンからネットワークにアクセスしてメールを取得するシステムを採用している。そして、上述したように、電話帳情報について更新が行われた場合に差分があるか判定し（ステップＳ１２１）、差分がある場合には電話帳更新要求をＳＭＳによるメッセージで送信し、更新処理を行う。このため、フィーチャーフォンが無線基地局装置に対応する無線サービスエリア外すなわち圏外に位置している場合であっても、その後エリア内すなわち圏内に復帰したときにＳＭＳによるメッセージをフィーチャーフォンが着信でき、電話帳情報の更新を実現できる。
【００６４】
（電話帳情報同期方法）
以上説明した電話帳情報同期システムにおいては、以下のような電話帳情報同期方法が実現されている。すなわち、電話端末に対応して設けられ、対応する電話端末の電話帳情報を保持する電話帳情報保持部と、前記電話帳情報保持部に保持されている電話帳情報の内容が更新されたことを検出する検出部と、対応する前記電話端末の電話帳情報との同期処理を行う第１同期処理部と、他のストレージサーバ装置との間で、前記電話帳情報の対応する項目について内容を一致させるための同期処理を行う第２同期処理部と、をそれぞれ含む複数のストレージサーバ装置と、
前記電話端末についての契約内容を確認する確認部と、前記確認部による確認の結果、前記契約内容が所定の条件を満たす場合に、前記複数のストレージサーバ装置について、前記第１同期処理部による同期処理を行うための要求を送信する第１同期要求送信部と、前記第１同期処理部による同期処理が行われたことを前記検出部が検出した場合において、前記確認部による確認の結果、前記契約内容が所定の条件を満たす場合に、前記第２同期処理部による同期処理を行うための要求を送信する第２同期要求送信部とを含む加入者情報管理サーバ装置と、
を備えた電話帳情報同期システムにおいて実現される電話帳情報同期方法であり、前記検出部が、前記電話帳情報保持部に保持されている電話帳情報の内容が更新されたことを検出する第１ステップ（例えば、図７中のステップＳ１０６）と、前記確認部が、前記電話端末についての契約内容を確認する第２ステップ（例えば、図７中のステップＳ１１０〜１１５）と、前記第２ステップによる確認の結果、前記契約内容が所定の条件を満たす場合に、前記複数のストレージサーバ装置について、前記第１同期処理部による同期処理を行うための要求を前記第１同期要求送信部が送信する第３ステップ（例えば、図８中のステップＳ１１８）と、ストレージサーバ装置に対応する電話端末の電話帳情報との同期処理を前記第１同期処理部が行う第４ステップ（例えば、図８中のステップＳ１２０）と、前記第４ステップによる同期処理が行われたことを前記検出部が検出した場合において（例えば、図８中のステップＳ１２１）、前記確認部による確認の結果、前記契約内容が所定の条件を満たす場合に、前記第２同期処理部による同期処理を行うための要求を前記第２同期要求送信部が送信する第５ステップ（例えば、図８中のステップＳ１２４）と、前記電話端末以外の他の電話端末との間で、前記電話帳情報の対応する項目について内容を一致させるための同期処理を第２同期処理部が行う第６ステップ（例えば、図８中のステップＳ１３１）と、を有する電話帳情報同期方法が実現されている。
【００６５】
この方法によれば、自身の連絡先更新時に、特定のユーザに対して、その特定ユーザの保持する携帯電話がスマートフォンかフィーチャーフォンかを問わず登録されている連絡先を自動で更新することができる。また、特定のユーザに該当する人を適切に判断し、特定のユーザの携帯電話に登録されている自身の連絡先情報を自動で更新することができる。
【００６６】
（変形例）
上記は、ＳＮＳによって更新された情報に基づき、フィーチャーフォンの電話帳情報の更新を行う場合について説明したが、ＣＰによって実現される他のサービスについても同様に本システムを適用することができる。
また、上記は、ＵｓｅｒＡ用ストレージサーバ装置６０ａ、家族Ａ−１用ストレージサーバ装置７０ａ、家族Ａ−１用ストレージサーバ装置７０ａが、物理的に別々の筐体のサーバ装置によって実現される場合について説明したが、それらを同じ筐体のサーバ装置によって実現されていてもよい。その場合、同じ筐体のサーバ装置であっても、電話帳情報を記憶する領域は異なるものとなる。
【００６７】
（まとめ）
以上のように、本システムにおいては、連絡先更新時に、特定のユーザに対して、その特定ユーザの保持する携帯電話がスマートフォンかフィーチャーフォンかを問わず登録されている連絡先を自動で更新することができる。また、特定のユーザに該当する人を適切に判断し、特定のユーザの携帯電話に登録されている自身の連絡先情報を自動で更新することができる。
同一ユーザがフィーチャーフォンを含む複数端末を保持している場合に、ＳＮＳなどのＣＰからのスマートフォンへの電話帳同期をトリガとして、フィーチャーフォンに保持されている電話帳情報も自動更新できる。
【００６８】
また、Ｐｕｓｈ型のメールシステムを採用する携帯電話網に本システムを採用すれば、電話帳情報の同期が圏外等により失敗しても、サーバから同期処理要求を周期的に送信することにより、在圏復帰後、電話帳情報の同期を必ず行うことができる。さらに、ＳＮＳで他のユーザの登録内容の更新または追加があった場合、それをトリガとして他のユーザの連絡先を電話帳サーバへ登録できる。
【００６９】
スマートフォンの電話帳サーバからの周期バックアップ要求処理の際に、回線契約状況及び、それに紐付く端末情報及びデータお預かりサービス契約情報から必要に応じフィーチャーフォンの電話帳更新も促すことができる。
なお、本発明の範囲は、図示され記載された例示的な実施形態に限定されるものではなく、本発明が目的とするものと均等な効果をもたらすすべての実施形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画されうる。
【産業上の利用可能性】
【００７０】
本発明は、家族割引契約や特定電話番号割引契約など、あるユーザと一定の関係にあるユーザの端末の電話帳情報の自動更新を実現する場合に利用することができる。
【符号の説明】
【００７１】
１０  パーソナルコンピュータ
２０、２０ａ、２０ｂ  無線基地局装置
２１  家族Ａ−１端末
２２  ＵｓｅｒＡ端末
２３  ＵｓｅｒＤ端末
３０、３０ａ、３０ｂ  パケット交換機
４０  パケット交換ＧＷ装置
５０  加入者情報管理サーバ装置
５１  確認部
５２  第１同期要求送信部
５３  第２同期要求送信部
６０  フィーチャーフォン用電話帳サーバ装置
６０ａ  ＵｓｅｒＡ用ストレージサーバ装置
６０ｂ  ＵｓｅｒＤ用ストレージサーバ装置
６１  電話帳情報保持部
６２  検出部
６３  第１同期処理部
６４  第２同期処理部
７０  スマートフォン用電話帳サーバ装置
７０ａ  家族Ａ−１用ストレージサーバ装置
８０  外部ＧＷ装置
９０  コンテンツプロバイダ
９１  スマートフォン
１００  インターネット
２００  ３Ｇ網
【図１】
0005572612.tif 000002
【図２】
0005572612.tif 000003
【図３】
0005572612.tif 000004
【図４】
0005572612.tif 000005
【図５】
0005572612.tif 000006
【図６】
0005572612.tif 000007
【図７】
0005572612.tif 000008
【図８】
0005572612.tif 000009
【図９】
0005572612.tif 000010
【図１０】
0005572612.tif 000011
【図１１】
0005572612.tif 000012
【図１２】
0005572612.tif 000013
【図１３】
0005572612.tif 000014
【図１４】
0005572612.tif 000015
【図１５】
0005572612.tif 000016
【図１６】
0005572612.tif 000017